(57)【要約】【課題】本発明においては、ユーザの利便性を確保しながら、同時に、コンテンツの不正なコピー、不正な使用を防止し、また適正な課金を可能にする、ユーザの出力機器、サーバ、コンテンツ流通システムを提供することを目的とする。【解決手段】ユーザの出力機器１２０は、符号化されたコンテンツを復号するための復号処理情報を、鍵生成サーバ２０１に要求し、鍵生成サーバ２０１から復号処理情報を受信する。そして、この復号処理情報を基に、デコーダ１２１ａにより復号を行い、復号したデータの出力を完了すると、サーバ２０１から受信した復号処理情報を消去する。また、鍵生成サーバ２０１は、ユーザの出力機器１２０から、復号処理情報の送信要求を受信し、復号処理情報を生成してユーザの出力機器１２０に送信する。【選択図】  図１
2004252848.tif 000002
【特許請求の範囲】
【請求項１】
符号化されたコンテンツを復号して出力するユーザの出力機器と、前記符号化されたコンテンツの復号処理を実行する復号処理情報を前記ユーザの出力機器に通信ネットワークを介して送信するサーバとで構成されるコンテンツ流通システムにおける前記ユーザの出力機器であって、
符号化されたコンテンツの情報を取得するための符号化データ取得手段と、
前記符号化されたコンテンツの復号処理情報を前記サーバに要求する復号処理情報要求手段と、
前記サーバから復号処理情報を受信する復号処理情報受信手段と、
前記復号処理情報を基に、前記符号化されたコンテンツの復号を行う復号処理手段と、
前記復号処理したコンテンツの出力完了後に、前記サーバから受信した復号処理情報を消去する復号処理情報消去手段と
を具備することを特徴とするユーザの出力機器。
【請求項２】
前記符号化されたコンテンツの復号条件を指定する復号条件指定手段と、
前記復号条件指定手段により復号条件を指定して、前記復号処理情報を前記サーバに要求する復号処理情報要求手段と
を具備することを特徴とする請求項１に記載のユーザの出力機器。
【請求項３】
前記コンテンツ流通システムには、さらにユーザの課金情報を保持する課金サーバが通信ネットワークを介して接続され、
前記復号処理情報により復号処理を実行する際には、前記課金サーバから課金情報を取得し、該課金情報に応じて復号処理の範囲を制限する手段を
さらに具備することを特徴とする請求項１または請求項２に記載のユーザの出力機器。
【請求項４】
前記コンテンツ流通システムには、さらにユーザへ時刻情報を提供する時刻サーバが通信ネットワークを介して接続され、
前記復号処理情報により復号処理を実行する際には、前記時刻サーバから時刻情報を取得し、該時刻情報を基に復号制限期間を判断する手段を
さらに具備することを特徴とする請求項１から３のいずれかに記載のユーザの出力機器。
【請求項５】
符号化されたコンテンツを復号して出力するユーザの出力機器と、前記符号化されたコンテンツの復号処理を実行する復号処理情報を前記ユーザの出力機器に通信ネットワークを介して送信するサーバとで構成されるコンテンツ流通システムにおける前記サーバであって、
前記ユーザの出力機器から、前記復号処理情報の送信要求を受信するための復号処理情報要求受信手段と、
前記復号処理情報を生成するための復号処理情報生成手段と、
前記ユーザの出力機器に前記復号処理情報を送信するための復号処理情報送信手段と
を具備することを特徴とするサーバ。
【請求項６】
前記復号処理情報が、ユーザの出力機器から受信した復号条件に応じて生成されることを
特徴とする請求項５に記載のサーバ。
【請求項７】
前記コンテンツ流通システムには、さらにユーザの課金情報を保持する課金サーバが通信ネットワークを介して接続され、
前記ユーザの出力機器から復号処理情報の送信要求があった場合には、前記課金サーバから課金情報を取得する手段と、
前記復号処理情報を、ユーザの課金情報に応じて生成する手段と
を具備することを特徴とする請求項５または請求項６に記載のサーバ。
【請求項８】
前記コンテンツ流通システムには、さらに時刻情報を提供する時刻サーバが通信ネットワークを介して接続され、
前記復号処理情報を生成する際には、前記時刻サーバから時刻情報を取得し、該時刻情報を基に復号制限期間を判断する手段を
さらに具備することを特徴とする請求項５から７のいずれかに記載のサーバ。
【請求項９】
符号化されたコンテンツを復号して出力するユーザの出力機器と、前記符号化されたコンテンツの復号処理を実行する復号処理情報を前記ユーザの出力機器に通信ネットワークを介して送信するサーバとで構成されるコンテンツ流通システムにおいて、
前記ユーザの出力機器には、
符号化されたコンテンツの情報を取得するための符号化データ取得手段と、
前記符号化されたコンテンツの復号処理情報を前記サーバに要求する復号処理情報要求手段と、
前記サーバから復号処理情報を受信する復号処理情報受信手段と、
前記復号処理情報を基に、前記符号化されたコンテンツの復号を行う復号処理手段と、
前記復号処理したコンテンツの出力完了後に、前記サーバから受信した復号処理情報を消去する復号処理情報消去手段と
を具備し、
前記サーバには、
前記ユーザの出力機器から、前記復号処理情報の送信要求を受信するための復号処理情報要求受信手段と、
前記復号処理情報を生成するための復号処理情報生成手段と、
前記ユーザの出力機器に前記復号処理情報を送信するための復号処理情報送信手段と
を具備することを特徴とするコンテンツ流通システム。
【請求項１０】
符号化されたコンテンツを復号して出力するユーザの出力機器と、前記符号化されたコンテンツの復号処理を実行する復号処理情報を前記ユーザの出力機器に通信ネットワークを介して送信するサーバとで構成されるコンテンツ流通システムにおけるコンテンツ流通方法であって、
前記ユーザの出力機器により、
符号化されたコンテンツの情報を取得するための符号化データ取得手順と、
前記符号化されたコンテンツの復号処理情報を前記サーバに要求する復号処理情報要求手順と、
前記サーバから復号処理情報を受信する復号処理情報受信手順と、
前記復号処理情報を基に、前記符号化されたコンテンツの復号を行う復号処理手順と、
前記復号処理したコンテンツの出力完了後に、前記サーバから受信した復号処理情報を消去する復号処理情報消去手順と
が行われ、
前記サーバにより、
前記ユーザの出力機器から、前記復号処理情報の送信要求を受信するための復号処理情報要求受信手順と、
前記復号処理情報を生成するための復号処理情報生成手順と、
前記ユーザの出力機器に前記復号処理情報を送信するための復号処理情報送信手順と
が行われることを特徴とするコンテンツ流通方法。
【請求項１１】
符号化されたコンテンツを復号して出力するユーザの出力機器と、前記符号化されたコンテンツの復号処理を実行する復号処理情報を前記ユーザの出力機器に通信ネットワークを介して送信するサーバとで構成されるコンテンツ流通システムにおける前記ユーザの出力機器内のコンピュータに、
符号化されたコンテンツの情報を取得するための符号化データ取得手順と、
前記符号化されたコンテンツの復号処理情報を前記サーバに要求する復号処理情報要求手順と、
前記サーバから復号処理情報を受信する復号処理情報受信手順と、
前記復号処理情報を基に、前記符号化されたコンテンツの復号を行う復号処理手順と、
前記復号処理したコンテンツの出力完了後に、前記サーバから受信した復号処理情報を消去する復号処理情報消去手順と
を実行させるためのプログラム。
【請求項１２】
符号化されたコンテンツを復号して出力するユーザの出力機器と、前記符号化されたコンテンツの復号処理を実行する復号処理情報を前記ユーザの出力機器に通信ネットワークを介して送信するサーバとで構成されるコンテンツ流通システムにおける前記サーバ内のコンピュータに、
前記ユーザの出力機器から、前記復号処理情報の送信要求を受信するための復号処理情報要求受信手順と、
前記復号処理情報を生成するための復号処理情報生成手順と、
前記ユーザの出力機器に前記復号処理情報を送信するための復号処理情報送信手順と
を実行させるためのプログラム。
【発明の詳細な説明】
【０００１】
【発明の属する技術分野】
本発明は、電子情報（ディジタル情報）による種々のデータ、例えば動画データ、静止画データ、音楽データ、文字データ（本明細書では、これらのデータを単に「コンテンツ」ともいう）などの不正使用の防止および課金に係わる、ユーザの出力機器、サーバ、コンテンツ流通システム、及びプログラムに関し、特に、ユーザの利便性を確保しながら、同時に、コンテンツの不正なコピー、不正な使用を防止し、また適正な課金を可能にする、ユーザの出力機器、サーバ、コンテンツ流通システム、及びプログラムに関する。
【０００２】
【従来の技術】
ネットワーク技術の進歩により、広範囲のディジタル情報（コンテンツ）が、ネットワーク上で容易にやり取りされるようになった。これはユーザの利便性を大きく向上させるものである。その一方で、ディジタル情報であるコンテンツは複製による劣化が生じないため、不正、違法な複製物がネットワーク上に大量に公開されると言う状況もおきている。
【０００３】
このような状況は、短期的には著作権者の不利益、また、不正利用者の違法な利益になると考えられるが、これらの不正使用の防止策を必要以上に強化すれば、正当な使用者の利便性が低下し、コンテンツ利用者の減少を招くおそれもある。このような状態は、創作活動も停滞し、著作権者、利用者の双方の不利益につながるものである。
従って、使用者の利便性を確保しながら、同時に、コンテンツの不正なコピー、不正な使用を防止し、また適正な課金を可能にするシステムの提供が望まれていた。
【０００４】
このような問題を解決するための先行技術として以下に示すものがある。
例えば、特許文献１（特開平８−６７８４号公報「ソフトウェア／著作物の無断複製使用防止システムおよび無断複製使用防止処理方法」）に開示された発明は、図２５（特許文献１の図１）に示されているように、コンテンツの開錠／再利用処理手段、およびそれに与える利用鍵により、コンテンツを保護するものである。そのコンテンツの初回の使用時、また、利用鍵の使用期限が切れた場合は、外部の管理装置に対し、利用鍵の発行を要求し、新しい利用鍵を取得する。この際に課金処理が行われるものである。
【０００５】
また、特許文献２（特開平１１−８５５０４号公報「デジタルコンテンツ配布システム装置」）に開示された発明は、図２６及び図２７（特許文献２の図２及び図１１）に示すように、コンテンツを自己解凍型とすることにより、そのコンテンツを保護するものである。例えば、コンテンツの配布時においてはプリビューのみが可能なような解凍形式となっている。この制限を解除するために、ユーザは著作権代行センターへコンテンツの書き換え処理の発行を要求する。ユーザは、この発行された書き換え処理を用いて、前記コンテンツを書き換えることにより、制限を解除したコンテンツの利用が可能となる。課金は、この書き換え処理の発行の際に行われる。この従来例においては、コンテンツは常に自己解凍形式であり、鍵の紛失や、鍵とデータの対応の管理などが不要となる。また、この自己解凍形式のコンテンツは、使用時において、それ自身が単独で、その使用環境をチェックするようにすることも可能である。
【０００６】
また、特許文献３（特開２０００−９００３９号公報「音楽配信方法、送信装置および方法、ならびに、再生装置および方法」）に開示された発明は、機器が持つ固有のＩＤと公開鍵方式の暗号処理によりコンテンツを保護するものである。特許文献３の図７の処理に見られるように、機器の固有のＩＤに基づく公開鍵、秘密鍵を生成し、その公開鍵を認証サーバへ登録する。サーバにおいては、この公開鍵を用いてコンテンツを暗号化する。この暗号化されたコンテンツを解読できるのは秘密鍵を持つ機器のみであることにより、コンテンツの受領者を特定することができ、それに対し課金を行う。
【０００７】
また、特許文献４（特開２０００−１８７９３５号公報「ディジタルデータ記録装置及びその方法並びにそのプログラムを記録したコンピュータ読み取り可能な記録媒体」）に開示された発明は、二次記憶媒体が持つ固有のＩＤを用いてコンテンツの保護を行うものである。特許文献４の図１に示されるように、暗号化されて配信されたコンテンツは一旦復号される。その後、コンテンツは、二次記憶媒体固有のＩＤを用いて再度暗号化され記録される。そのため、暗号化されたコンテンツが他の二次記憶媒体、つまり他のＩＤを持つ媒体へコピーされても、その暗号を解読することはできない。課金は、基本的にデータの受信時に行われる。
【０００８】
【特許文献１】
特開平８−６７８４号公報
【特許文献２】
特開平１１−８５５０４号公報
【特許文献３】
特開２０００−９００３９号公報
【特許文献４】
特開２０００−１８７９３５号公報
【０００９】
【発明が解決しようとする課題】
しかしながら、特許文献１で開示された発明では、コンテンツ利用の制限としては、再生期間の制限のみにしか対応できないものである。例えば、再生回数制限などには対応できない。また、利用鍵がユーザ側に常に存在することにより、それを悪意あるユーザに解析され、悪用される可能性がある。
また、特許文献２で開示された発明では、デジタルコンテンツ配布システム装置は、自己解凍型の処理であるので、解凍時に何らかのチェック機能を持たせることができる。しかし、例えば再生回数制限のあるコンテンツを複製してしまえば、その複製のそれぞれが所定の回数の再生が可能となる。つまり、実質的に再生回数の制限を行うことはできない。また、自己解凍処理を含む、復号に必要な処理がユーザ側に常に存在することにより、それを悪意あるユーザに解析され、悪用される可能性がある。
また、特許文献３に開示された発明では、単にコンテンツの配布先を特定する機能のみであり、再生期間の制限、再生回数の制限などを行うことはできない。また、特許文献４に開示された発明では、二次記憶媒体を特定する機能のみであり、再生期間の制限、再生回数の制限などを行うことはできない。
【００１０】
本発明はこのような問題を解決するためになされたものである。本発明においては、コンテンツの購入前に閲覧（プリビュー）を容易に可能とする。また、コンテンツの購入時においても必要に応じ、再生回数の制限、再生期間の制限、再生装置の制限、再生精度の制限を可能とする。またそれらの制限による適切な課金を可能とする。また、著作権者側へは、悪意あるユーザによる違法コピーを抑制する機能を提供し、また、正当なユーザの使用に対する適切な課金を可能とする、ユーザの出力機器、サーバ、コンテンツ流通システム、コンテンツ流通方法、及びプログラムを提供することを目的とする。
【００１１】
【課題を解決するための手段】
本発明は上記課題を解決するためになされたものであり、本発明のユーザの出力機器は、符号化されたコンテンツを復号して出力するユーザの出力機器と、前記符号化されたコンテンツの復号処理を実行する復号処理情報を前記ユーザの出力機器に通信ネットワークを介して送信するサーバとで構成されるコンテンツ流通システムにおける前記ユーザの出力機器であって、符号化されたコンテンツの情報を取得するための符号化データ取得手段と、前記符号化されたコンテンツの復号処理情報を前記サーバに要求する復号処理情報要求手段と、前記サーバから復号処理情報を受信する復号処理情報受信手段と、前記復号処理情報を基に、前記符号化されたコンテンツの復号を行う復号処理手段と、前記復号処理したコンテンツの出力完了後に、前記サーバから受信した復号処理情報を消去する復号処理情報消去手段とを具備することを特徴とする。
このような構成であれば、ユーザの出力機器（例えば、プリンタやプロジェクタなど）において、符号化（暗号化）されたデータ（コンテンツ）を復号して再生する場合に、サーバに対して、復号するコンテンツの情報を指定して、「復号処理情報（復号処理そのものを実行する情報）」の送信を要求する。そして、サーバから「復号処理情報」を受信して、符号化されたデータを復号して出力（印刷など）する。そして、復号したデータの出力を完了すると、サーバから受信した「復号処理情報」を消去する。
これにより、符号化データと対になった「復号処理情報（復号処理そのものを実行する情報）」を鍵として用いることができる。また、これにより、仮に符号化方式を不正に解読されたとしても、そのデータのみ、あるいは、同じ方式で符号化されたデータのみしか解読されない。また、今後、技術が進歩した場合、より高品質、あるいは、より解読が困難な符号化方式へ容易に移行できる。また、ユーザＰＣ（パーソナルコンピュータ）などから出力機器へ送信される信号がエンコードされたままであるので、盗聴に対しての安全性が高い。また、ユーザの出力機器が自ら通信手段を用いて、一時的に「復号処理情報」を取得するので、それを分析されて不正に使用される可能性が低い。また、ユーザ機器側ではデータをバックアップしたり、コピーしたりする事が自由である。また、コピーされたデータが外部に流出したとしても何の問題もない。
【００１２】
また、本発明のユーザの出力機器は、前記符号化されたコンテンツの復号条件を指定する復号条件指定手段と、前記復号条件指定手段により復号条件を指定して、前記復号処理情報を前記サーバに要求する復号処理情報要求手段とを具備することを特徴とする。
このような構成であれば、ユーザは、復号処理条件指定手段により、符号化されたコンテンツの復号条件を指定することができる。
これにより、符号化データの無制限使用、回数制限のある使用、時間制限のある使用、復号するハードウェアに制限のある使用、データ精度、データ量に制限のある使用、ユーザに制限のある使用、後処理での使用など、ユーザの都合にあわせてコンテンツを利用できる。
【００１３】
また、本発明のユーザの出力機器は、前記コンテンツ流通システムには、さらにユーザの課金情報を保持する課金サーバが通信ネットワークを介して接続され、前記復号処理情報により復号処理を実行する際には、前記課金サーバから課金情報を取得し、該課金情報に応じて復号処理の範囲を制限する手段をさらに具備することを特徴とする。
このような構成であれば、ユーザの出力機器が、「復号処理情報」を使用して復号処理を実行する際に、課金サーバからユーザの「課金情報」を取得し、ユーザの「課金情報」に応じて復号処理の範囲を制限する。
これにより、復号処理が起動された場合に、ユーザの出力機器は課金サーバと通信を行い、ユーザ自身の「課金情報」に応じて復号処理の範囲を制限できる。また、課金に係わる重要な情報はユーザの出力機器の外部にあるため、それを偽造される可能性が低い。
【００１４】
また、本発明のユーザの出力機器は、前記コンテンツ流通システムには、さらにユーザへ時刻情報を提供する時刻サーバが通信ネットワークを介して接続され、前記復号処理情報により復号処理を実行する際には、前記時刻サーバから時刻情報を取得し、該時刻情報を基に復号制限期間を判断する手段をさらに具備することを特徴とする。
このような構成であれば、ユーザの出力機器が、「復号処理情報」を使用して復号処理を実行する際に、コンテンツの利用に時間（期間）制限がある場合は、ユーザの出力機器では、時刻サーバの時刻を基準として、自ら再生制限を行う。これにより、ユーザの出力機器が外部の時刻サーバから時刻情報を取得するため、時刻情報を偽造されることがない。
【００１５】
また、本発明のサーバは、符号化されたコンテンツを復号して出力するユーザの出力機器と、前記符号化されたコンテンツの復号処理を実行する復号処理情報を前記ユーザの出力機器に通信ネットワークを介して送信するサーバとで構成されるコンテンツ流通システムにおける前記サーバであって、前記ユーザの出力機器から、前記復号処理情報の送信要求を受信するための復号処理情報要求受信手段と、前記復号処理情報を生成するための復号処理情報生成手段と、前記ユーザの出力機器に前記復号処理情報を送信するための復号処理情報送信手段とを具備することを特徴とする。
このような構成であれば、サーバおいては、ユーザの出力機器からのコンテンツの指定情報と、「復号処理情報（復号処理そのものを実行する情報）」の送信要求を受信し、「復号処理情報」を生成して、ユーザの出力機器に送信する。
これにより、符号化データと対になった復号処理情報（復号処理そのものを実行する情報）を鍵として用いることができる。また、これにより、仮に符号化方式を不正に解読されたとしても、そのデータのみ、あるいは、同じ方式で符号化されたデータのみしか解読されない。また、今後、技術が進歩した場合、より高品質、あるいは、より解読が困難な符号化方式へ容易に移行できる。また、ユーザＰＣ（パーソナルコンピュータ）などから出力機器へ送信される信号がエンコードされたままであるので、盗聴に対しての安全性が高い。また、ユーザの出力機器が自ら通信手段を用いて、一時的に「復号処理情報」を取得するので、それを分析されて不正に使用される可能性が低い。また、ユーザ機器側ではデータをバックアップしたり、コピーしたりする事が自由である。また、コピーされたデータが外部に流出したとしても何の問題もない。
【００１６】
また、本発明のサーバは、前記復号処理情報が、ユーザの出力機器から受信した復号条件に応じて生成されることを特徴とする。
このような構成であれば、サーバは、ユーザから指定された復号条件を基に、「復号処理情報」を生成する。
これにより、符号化データの無制限使用、回数制限のある使用、時間制限のある使用、復号するハードウェアに制限のある使用、データ精度、データ量に制限のある使用、ユーザに制限のある使用、後処理での使用など、ユーザの都合にあわせてコンテンツを利用できる。
【００１７】
また、本発明のサーバは、前記コンテンツ流通システムには、さらにユーザの課金情報を保持する課金サーバが通信ネットワークを介して接続され、前記ユーザの出力機器から復号処理情報の送信要求があった場合には、前記課金サーバから課金情報を取得する手段と、前記復号処理情報を、ユーザの課金情報に応じて生成する手段とを具備することを特徴とする。
このような構成であれば、サーバで「復号処理情報」を生成する際に、ユーザの課金情報に応じて復号処理の範囲を制限することができる。
これにより、ユーザ自身の課金情報に応じて復号処理の範囲が決定できる。また、課金に係わる重要な情報はユーザの出力機器の外部にあるため、それを偽造される可能性が低い。
【００１８】
また、本発明のサーバは、前記コンテンツ流通システムには、さらに時刻情報を提供する時刻サーバが通信ネットワークを介して接続され、前記復号処理情報を生成する際には、前記時刻サーバから時刻情報を取得し、該時刻情報を基に復号制限期間を判断する手段をさらに具備することを特徴とする。
このような構成であれば、サーバにおいて「復号処理情報」を生成する際に、コンテンツの利用に時間（期間）制限がある場合には、時刻サーバの時刻を基準として、「復号処理情報」を生成するかどうかを判断する。
これにより、時刻サーバから時刻情報を取得して、再生期限を判断できる。また、時刻情報はユーザの出力機器の外部にあるため、それを偽造されることがない。
【００１９】
また、本発明のコンテンツ流通システムは、符号化されたコンテンツを復号して出力するユーザの出力機器と、前記符号化されたコンテンツの復号処理を実行する復号処理情報を前記ユーザの出力機器に通信ネットワークを介して送信するサーバとで構成されるコンテンツ流通システムにおいて、前記ユーザの出力機器には、符号化されたコンテンツの情報を取得するための符号化データ取得手段と、前記符号化されたコンテンツの復号処理情報を前記サーバに要求する復号処理情報要求手段と、前記サーバから復号処理情報を受信する復号処理情報受信手段と、前記復号処理情報を基に、前記符号化されたコンテンツの復号を行う復号処理手段と、前記復号処理したコンテンツの出力完了後に、前記サーバから受信した復号処理情報を消去する復号処理情報消去手段とを具備し、前記サーバには、前記ユーザの出力機器から、前記復号処理情報の送信要求を受信するための復号処理情報要求受信手段と、前記復号処理情報を生成するための復号処理情報生成手段と、前記ユーザの出力機器に前記復号処理情報を送信するための復号処理情報送信手段とを具備することを特徴とする。
このような構成であれば、ユーザの出力機器は、符号化されたコンテンツを復号するための「復号処理情報（復号処理そのものを実行する情報）」をサーバに要求し、サーバから「復号処理情報」を受信する。そして、この復号処理情報を基に、符号化されたコンテンツの復号を行う。そして、復号したデータの出力完了後に、サーバから受信した「復号処理情報」を消去する。また、サーバは、ユーザの出力機器から、「復号処理情報」の送信要求を受信し、「復号処理情報」を生成してユーザの出力機器に送信する。
これにより、符号化データと対になった復号処理情報（復号処理そのものを実行する情報）を鍵として用いることができる。また、これにより、仮に符号化方式を不正に解読されたとしても、そのデータのみ、あるいは、同じ方式で符号化されたデータのみしか解読されない。また、今後、技術が進歩した場合、より高品質、あるいは、より解読が困難な符号化方式へ容易に移行できる。また、ユーザＰＣ（パーソナルコンピュータ）などから出力機器へ送信される信号がエンコードされたままであるので、盗聴に対しての安全性が高い。また、ユーザの出力機器が自ら通信手段を用いて、一時的に「復号処理情報」を取得するので、それを分析されて不正に使用される可能性が低い。また、ユーザ機器側ではデータをバックアップしたり、コピーしたりする事が自由である。また、コピーされたデータが外部に流出したとしても何の問題もない。
【００２０】
また、本発明のコンテンツ流通方法は、符号化されたコンテンツを復号して出力するユーザの出力機器と、前記符号化されたコンテンツの復号処理を実行する復号処理情報を前記ユーザの出力機器に通信ネットワークを介して送信するサーバとで構成されるコンテンツ流通システムにおけるコンテンツ流通方法であって、前記ユーザの出力機器により、符号化されたコンテンツの情報を取得するための符号化データ取得手順と、前記符号化されたコンテンツの復号処理情報を前記サーバに要求する復号処理情報要求手順と、前記サーバから復号処理情報を受信する復号処理情報受信手順と、前記復号処理情報を基に、前記符号化されたコンテンツの復号を行う復号処理手順と、前記復号処理したコンテンツの出力完了後に、前記サーバから受信した復号処理情報を消去する復号処理情報消去手順とが行われ、前記サーバにより、前記ユーザの出力機器から、前記復号処理情報の送信要求を受信するための復号処理情報要求受信手順と、前記復号処理情報を生成するための復号処理情報生成手順と、前記ユーザの出力機器に前記復号処理情報を送信するための復号処理情報送信手順とが行われることを特徴とする。
このような手順であれば、ユーザの出力機器は、符号化されたコンテンツを復号するための「復号処理情報（復号処理そのものを実行する情報）」をサーバに要求し、サーバから「復号処理情報」を受信する。そして、この「復号処理情報」を基に、符号化されたコンテンツの復号を行う。そして、復号したデータの出力完了後に、サーバから受信した「復号処理情報」を消去する。また、サーバは、ユーザの出力機器から、復号処理情報の送信要求を受信し、復号処理情報を生成してユーザの出力機器に送信する。
これにより、符号化データと対になった「復号処理情報（復号処理そのものを実行する情報）」を鍵として用いることができる。また、これにより、仮に符号化方式を不正に解読されたとしても、そのデータのみ、あるいは、同じ方式で符号化されたデータのみしか解読されない。また、今後、技術が進歩した場合、より高品質、あるいは、より解読が困難な符号化方式へ容易に移行できる。また、ユーザＰＣ（パーソナルコンピュータ）などから出力機器へ送信される信号がエンコードされたままであるので、盗聴に対しての安全性が高い。また、ユーザの出力機器が自ら通信手段を用いて、一時的に「復号処理情報」を取得するので、それを分析されて不正に使用される可能性が低い。また、ユーザ機器側ではデータをバックアップしたり、コピーしたりする事が自由である。また、コピーされたデータが外部に流出したとしても何の問題もない。
【００２１】
また、本発明のコンピュータプログラムは、符号化されたコンテンツを復号して出力するユーザの出力機器と、前記符号化されたコンテンツの復号処理を実行する復号処理情報を前記ユーザの出力機器に通信ネットワークを介して送信するサーバとで構成されるコンテンツ流通システムにおける前記ユーザの出力機器内のコンピュータに、符号化されたコンテンツの情報を取得するための符号化データ取得手順と、前記符号化されたコンテンツの復号処理情報を前記サーバに要求する復号処理情報要求手順と、前記サーバから復号処理情報を受信する復号処理情報受信手順と、前記復号処理情報を基に、前記符号化されたコンテンツの復号を行う復号処理手順と、前記復号処理したコンテンツの出力完了後に、前記サーバから受信した復号処理情報を消去する復号処理情報消去手順とを実行させるためのプログラムである。
【００２２】
また、本発明のコンピュータプログラムは、符号化されたコンテンツを復号して出力するユーザの出力機器と、前記符号化されたコンテンツの復号処理を実行する復号処理情報を前記ユーザの出力機器に通信ネットワークを介して送信するサーバとで構成されるコンテンツ流通システムにおける前記サーバ内のコンピュータに、前記ユーザの出力機器から、前記復号処理情報の送信要求を受信するための復号処理情報要求受信手順と、前記復号処理情報を生成するための復号処理情報生成手順と、前記ユーザの出力機器に前記復号処理情報を送信するための復号処理情報送信手順とを実行させるためのプログラムである。
【００２３】
【発明の実施の形態】
次に本発明の実施の形態例について図面を参照して説明する。
【００２４】
［本発明の概要説明］
図１は、本発明のコンテンツ流通システムの概要を説明するための図であり、符号化（暗号化）されたコンテンツを復号して利用するユーザ機器１００と、サーバ群２００をシステムの構成要素としている。
サーバ群２００には、鍵となる「復号処理情報（復号処理そのものを実行するデコードプログラムなどの情報）」を生成するための復号処理情報生成手段２１０を有する鍵生成サーバ２０１、課金制御および再生制限情報を与えるための課金制御手段３１０を有する課金サーバ３０１、時刻情報（再生期限の判断情報）を与えるための時刻取得手段４１０を有する時刻サーバ４０１から構成される。
【００２５】
ユーザ機器１００は、パーソナルコンピュータなどのユーザＰＣ１１０と、ネットワーク通信機能を有する出力機器１２０から構成され、出力機器１２０は、例えば、プリンタやプロジェクタなどである。ユーザＰＣ１１０内の符号化（暗号化）されたコンテンツ１１１は、ユーザＰＣ１１０がインターネットなどの通信ネットワークを介して受信したコンテンツか、または雑誌の付録により配布されるＣＤ−ＲＯＭやＤＶＤ−ＲＯＭなどに記録されたものを読み出したコンテンツである。このコンテンツは、「エンコードデータ（符号化されたコンテンツのデータ）」と、アクセスするサーバを特定する「サーバ指定情報」から構成されている。
また、プリビューデコーダ１１２は、符号化されたコンテンツ１１１に付随するプリビュー用のデコーダ（デコード用のプログラム）であり、ユーザＰＣ１１０において、コンテンツ１１１をプリビューするためのものである。
【００２６】
また、ユーザの出力機器１２０内の記憶装置１２１内のデコーダ１２１ａには、鍵生成サーバ２０１から受信したデコード情報（復号処理情報）が記録される。そして、ユーザＰＣ１１０から、符号化（暗号化）されたコンテンツ１１１を受信し、デコーダ１２１ａにより復号処理を行い、復号したデータを出力装置１２２に出力する。また、デコーダ１２１ａは固定的なものではなく、例えば、ソフトウェア手段により構成されるものであり、サーバ群２００から、デコード情報（復号処理情報）や、課金情報、再生制限情報、及び時刻情報などを取得し、それぞれの情報に応じたデコード処理を行う。
出力装置１２２により、印刷などが完了すると、出力終了検出部１２３によりデータ出力の完了が検出され、メモリ消去部１２４により、デコード情報（復号処理情報）が消去される。
【００２７】
以上説明した、本発明のコンテンツ流通システムには以下の特徴がある。
・本発明のコンテンツ流通システムの、第１番目のポイントは、符号化（暗号化）されたコンテンツ１１１を通信により配布あるいは雑誌の付録などにより流通させる。そして、それに対応する「デコード情報（復号処理情報）」は復号処理そのものを実行するプログラム（又はコード）などであり、これを符号化されたデータを使用するための鍵とする。また、プリビューのみが可能な鍵は無料、ないしは低額な料金で流通させる。このプリビューにより、コンテンツの試用、編集作業を可能にする。すなわち、編集の段階では、低精細な画像１１３を使用し、印刷の段階では高精細な画像１１４を使用する。なお、このプリビューの段階では、鍵そのものを不要とすることもできる。
【００２８】
・本発明のコンテンツ流通システムの第２番目のポイントは、ユーザが編集後のデータ、あるいは、より高精度のデータを必要とする時、出力機器１２０が高精細データを復号できる鍵（復号処理情報）をサーバ群２００に要求する。そして、サーバ群２００が課金と共に鍵（復号処理情報）を出力機器１２０へ配布する点にある。また、この鍵（復号処理情報）を、出力完了後に消去する構成にすることができる。これは従来例２と類似したものであるが、本発明においては、コンテンツと一体化した自己解凍形式を採らない。これにより、鍵の秘匿性を強化できる。同時に、課金情報を課金サーバ３０１に登録しておけば、この鍵の存在自身をユーザに意識させないことが可能になる。
【００２９】
このような構成により、ユーザはデータの任意のコピー、バックアップが可能となる。また課金に係わる情報、例えば、再生回数、再生期限などがユーザ側ではなく課金制御手段３１０側に保持できるので、これらの偽造を不可能とすることができる。
・また、このコンテンツ流通システムにおいては、復号処理そのものを実行するデコード情報（復号処理情報）が動的に生成され、このデコード情報（復号処理情報）が鍵として出力機器１２０に配布される。そのため、符号化（暗号化）アルゴリズムは技術の進歩により都度更新することが可能となる。また、通信プロトコル、通信先なども容易に変更が可能となる。そのため、従来例２にあるような著作権代行センターのようなものは不要である。つまり、同一の流通手段においても、コンテンツ毎にその著作権者が独自の課金制御手段を運用することが可能となる。またこのように、通信プロトコル、通信先などが複数となり得るので、悪意あるユーザによる通信データの偽造は困難になる。
・また、正当なユーザにおいては、このような通信はユーザに意識されない部分で行われるため、利便性を低下させることはない。
【００３０】
実際の運用においては、例えば、データのプリビューのみを行える鍵（復号処理情報）は、自由に流通させることが考えられる。この鍵は、例えば、動画データ、音楽データであれば、視聴できる範囲が限られるなどの制約を与える。静止画データなどであれば、その画像サイズ、解像度などに制約を与える。あるいは、それらにおいて、画像の主要部分にプリビューである旨の表示がなされるようにしてもよい。
静止画を例にとれば、そのプリビューデータを用いて、ユーザは自分の文書なりを作成することができる。つまり、その静止画プリビューを用いて、サイズや位置を決めることができる。
【００３１】
ユーザがそのプリビューや、それを含むデータより判断し、そのデータの購入を決めた場合、ユーザはそのデータを出力機器１２０に送る。出力機器１２０では、符号化されたコンテンツ１１１に含まれる通信先情報（サーバ指定情報）を用いて、鍵生成サーバ２０１内の復号処理情報生成手段２１０に対し、ユーザがそのデータを復号する環境、ユーザがそのデータを使用したい条件などを送信し、そのデータをそのユーザが、その出力機器１２０で使用するための、カスタマイズされた復号処理情報の生成を要求する。
【００３２】
また、鍵生成サーバ２０１内の復号処理情報生成手段２１０は、課金サーバ３０１内の課金制御手段３１０との通信により、カスタマイズされた復号処理の生成の許諾を求める。同時に、時刻サーバ４０１内の時刻取得手段４１０へ「時刻情報」を要求することも可能である。「課金情報」及び「時刻情報」を基に、復号処理情報の生成を許可する場合、復号処理情報生成手段２１０は、「復号処理情報」を生成し、出力機器１２０に送信する。一方、課金制御手段３１０には、それに対する課金情報が記録される。
【００３３】
上述した課金サーバ３０１内の課金制御手段３１０が持つ課金制御情報（再生制限情報）としては、例えば以下のようなパターンが考えられる。
（１）符号化されたコンテンツのデータの無制限使用（多分最も高価）
復号処理は、起動される度に、入力されたデータを確認し、対応するデータであれば無条件に復号処理を行う。
（２）回数制限のある使用
復号処理は、起動される度に、予め自らの中にある情報により課金制御手段３１０へ通信を行い、そこから得られる許容された回数に達するまでは復号処理を行う。許容された回数を超えた場合、課金制御手段３１０は、復号を拒否するか、あるいは、追加の課金を受諾するかどうかをユーザの出力機器１２０ヘ質問する。この時、許容回数データは課金制御手段３１０の中にあるので、ユーザはこれを偽造できない。
また、通信プロトコル、通信データの符号化、通信先などは、カスタマイズされた復号処理ごとに変更が可能であるので、悪意あるユーザの通信データの偽造は困難である。
また、このパターンにおいては、許容された回数を超えるまでは、ユーザは、課金制御手段３１０などを意識することはない。
【００３４】
（３）時間制限のある使用
復号処理は、起動される度に、予め自らの中にある情報により課金制御手段３１０へ通信を行い、許容された制限時間を取得する。その後、同様に自らの中にある情報により時刻取得手段４１０と通信を行い時刻情報を得る。その時刻情報と、課金制御手段３１０から得た制限時刻情報との比較により復号処理を行う。時刻が許可されない値である場合、復号を拒否するか、あるいは、追加の課金を受諾するかどうかをユーザへ質問する。この時、制限時刻データは課金制御手段３１０の中にあり、現在の時刻は時刻取得手段４１０の中にあるので、ユーザはこれを偽造できない。
また、このパターンにおいては、許容された時刻を超えるまでは、ユーザは、課金制御手段３１０、時刻取得手段４１０などを意識することはない。
【００３５】
（４）復号するハードウェアに制限のある使用
復号処理は、起動される度に、予め自らの中にあるハードウェアの情報を用いて、自らが起動されたハードウェアが正当なものかどうかを判断することができる。これには、ネットワークアドレス、ネットワークハードウェアのＭＡＣアドレス、ＣＰＵのＩＤ、あるいは、その他のハードウェアの名称、ＩＤなど、さらには、それらの組み合わせを用いることができる。
逆に言うと、この制限の無い場合、正当なユーザは、この復号処理のコピー、符号化されたデータのコピーを、他の制限内において、任意のハードウェアで実行することが可能となる。
【００３６】
（５）データ精度、データ量に制限のある使用
上述したハードウェア制限と類似したものであるが、例えば、ある静止画であれば、許諾された分解能、サイズまでであれは使用できるとするものである。また動画であれば、更に、再生区間の制限などが考えられる。
（６）ユーザに制限のある使用
復号処理は、起動される度に、ユーザへ何らかの認証手段の提示を求め、予め自らの中にある情報を用いて、正当なユーザであるかどうかの判断を行う。
（７）後処理での使用
上の何れの使用においても、使用が許可されない場合、例えば、ユーザの出力機器１２０が復号処理情報生成手段２１０とのみ通信が可能であり、課金制御手段３１０、時刻取得手段４１０との通信ができない場合などにおいて、その復号手段の正当な所有者の信頼度、あるいは、前払いされた課金情報などによっては、一時的な使用を許可すると言うパターンも考えられる。
【００３７】
なお、図２は、復号モジュールを使用する例を示す図であり、復号処理機能を、プリンタなどの出力機器１２６とは独立して、復号モジュール１２０ａとして外部に設ける例を示したものである。復号モジュール１２０ａでは、符号化されたコンテンツを復号し、出力部１２５に接続された出力機器１２６に復号されたデータ（コンテンツ）を送信する。このように、復号モジュール１２０ａを使用すれば、出力機器１２６として、汎用のプリンタ、プロジェクタなどを使用できる。
【００３８】
［従来例との比較］
なお、従来例１（特許文献１）とは、コンテンツと鍵が別であると言う点は同じである。しかし、従来例１では、鍵に通信機能や復号機能はなく、極端に言えは、単に使用期限日を示すためだけのものである。そのため、再生回数の制限は不可能であり、また期日の制限も容易に偽造され得る。
従来例２（特許文献２）とは、復号処理を鍵として使用すると言う点は同じである。しかし、従来例２では、この鍵とコンテンツは一体化され、自己解凍処理として実行される。そのため、再生回数の制限は容易に破られ得るものである。また期日の制限も容易に偽造され得る。
さらに、鍵とコンテンツが一体化されていると言うことにより、例えば、あるコンテンツのグループに対し、一括した鍵を与えると言うようなことはできない。
従来例３、４（特許文献３、４）においては、コンテンツの使用に対し、細かな制限を課すことはできない。
【００３９】
全体として、本発明では、鍵（復号処理情報）をユーザの出力機器１２０が自ら取得し、出力の完了が検出された時点でそれが消去されることを特徴とする。その結果、出力を要求するユーザの出力機器１２０には、常にエンコードされたデータのみが存在し、デコードされたデータは、出力機器の中だけで閉じている。つまり、ユーザＰＣ１１０と出力機器１２０との通信路の盗聴による不正なデータの取得を不可能としている。更には、鍵（復号処理情報）も出力完了後には消去されるため、それが分析されることによる不正使用を困難にしている。
【００４０】
［具体例の説明］
図３は、本発明のコンテンツ流通システムにおける出力機器１２０が有する手段の構成例を示す図であり、本発明に直接関係する手段の構成例を示したものである。
（１）符号化データ取得手段１３１
取り扱いたい種々の電子情報、例えば動画データ、静止画データ、音楽データ、文字データ（符号化されたコンテンツ）を、ユーザＰＣ１１０などを経由して取得する手段である。具体的には、ネットワーク経由であればネットワーク通信手段、雑誌の付録のＣＤ−ＲＯＭ、ＤＶＤ−ＲＯＭなどでの配布形態であれば固定記憶媒体読み出し手段、同様に、磁気記憶媒体などへバックアップされたデータ、あるいはコピーされたデータであれば、それらの読み出し手段である。また、インターネット放送などのストリーミングデータなどの時は、それらの受信手段である。
【００４１】
（２）復号処理情報要求手段１３２
上述した符号化されたコンテンツに対応する「復号処理情報の生成要求」を、鍵生成サーバ２０１内の復号処理情報生成手段２１０へ送信する。この時、以下の情報の内の１つ以上が「復号処理生成条件」として送信データに付加される。なお、復号処理生成条件の指定は、ユーザＰＣ１１０により行うようにすることもできるし、ユーザの出力機器１２０で行うようにしてもよい。
・クライアントであるユーザの出力機器１２０自身の情報、例えば、ネットワークアドレス、ネットワークハードウェアのＭＡＣアドレス、などの自分自身を特定する情報
・復号したいコンテンツデータに係わる情報、例えばファイル名、あるいは、データの識別子などの情報
・復号処理にかかわる条件、例えば、期限付き復号、回数制限付き復号、解像度制限、表示装置制限にかかわる情報
・ユーザに係わる情報、例えば登録された会員のユーザＩＤなどの情報等
【００４２】
なお、「復号処理情報生成要求」のデータの送信先となる「復号処理情報生成手段２１０」は、「課金制御手段３１０」と同一のサーバ内にあってもよいし、あるいは、別のサーバに設けてもよい。また、この時、復号処理情報生成手段２１０は、要求元であるクライアント（ユーザの出力機器１２０）に対し、要求されたデータ、要求された条件での「復号処理情報」を生成することを許可するかしないかを「課金制御手段３１０」へ問い合わせることができる。
課金制御手段３１０が「復号処理情報」の生成を不許可とした場合、それをクライアントのユーザの出力機器１２０へ通知する。課金制御手段３１０が「復号処理情報」の生成を許可した場合、許可された条件に対する「復号処理情報」を生成したことを「課金制御手段３１０」へ通知する。また同時に、「復号処理情報」をクライアント（ユーザの出力機器１２０）へ送信する。この生成された「復号処理情報」には、上に述べた復号処理情報生成条件に加え、課金制御手段３１０への通信方法、時刻取得手段４１０への通信方法、などが符号化（暗号化）されて付加される。
【００４３】
（３）復号処理情報受信手段１３３
復号処理情報生成手段２１０が生成した「復号処理情報」を受信する。復号処理情報生成手段２１０が「復号処理情報」の生成を拒否した場合、その旨がユーザの出力機器１２０へ通知される。
（４）復号処理情報記憶手段１３４
復号処理情報生成手段２１０により生成された１つ以上の「復号処理情報」を記憶する。「復号処理情報」は復号処理そのものを実行する情報（例えば、デコーダプログラムなど）であり、復号処理情報記憶手段１３４に記憶され実行される「復号処理１３４ａ」は、対応する符号化データを復号する鍵となるものであり、かつ、次に掲げる機能の内、少なくとも一つ以上の機能を有する。
・復号許可条件記憶機能
復号するデータの識別子、回数制限、時刻制限、精度制限、マシン制限、ユーザ制限、通信すべき課金制御手段３１０の識別子、通信すべき時刻取得手段４１０の識別子、後処理許可の条件
・課金制御手段３１０との通信機能
・時刻取得手段４１０との通信機能
・復号履歴記憶機能
例えば、復号履歴記憶手段は、復号許可条件記憶手段と連携し、複数回数の再生、複数部数の印刷などを可能とする。つまり、許可条件の範囲内において、復号処理情報消去手段の動作を抑制する、と言うような事を可能とする。
【００４４】
（５）出力手段１３５
復号処理により復号されたデータを出力するための手段であり、印刷あるいは画面表示を行うための手段である。
（６）出力終了検出手段１３６
復号されたデータの、出力手段１３５への出力完了（出力終了）を検出するための手段である。
（７）復号処理情報消去手段１３７
出力完了検出により、「復号処理情報」を消去するための手段である。
（８）課金情報要求手段１３８
符号化されたコンテンツの復号処理を実行する際に、課金サーバ３０１内の課金制御手段３１０に対し、「課金情報」の送信を要求するための手段である。
（９）課金情報受信手段１３９
符号化されたコンテンツの復号処理を実行する際に、課金サーバ３０１内の課金制御手段３１０から、「課金情報」を受信するための手段である。
（１０）時刻情報要求手段１４０
符号化されたコンテンツの復号処理を実行する際に、時刻サーバ４０１内の時刻取得手段４１０に対し、「時刻情報」の送信を要求するための手段である。
（１１）時刻情報受信手段１４１
符号化されたコンテンツの復号処理を実行する際に、時刻サーバ４０１内の時刻取得手段４１０から、「時刻情報」を受信するための手段である。
【００４５】
また、図４は、復号処理の第１の処理例を示す図であり、ユーザの出力機器１２０内のデータ処理手段１５０、鍵生成サーバ２０１内の復号処理情報生成手段２１０、課金サーバ３０１内の課金制御手段３１０、及び時刻サーバ４０１内の時刻取得手段４１０との相互作用を説明するための図である。また、図４に示す処理例は、復号処理パラメータに再生期間の制限が存在し、ユーザの出力機器１２０内のデータ処理手段１５０が、時刻サーバ４０１内の時刻取得手段４１０から「時刻情報」を取得する場合の例である。また、課金制御手段３１０への問い合わせは、復号処理情報生成手段２１０で行う場合の例である。なお、復号処理情報生成手段２１０と、課金制御手段３１０と、時刻取得手段４１０は同一のサーバ内にあってもよく、また、それぞれが複数のサーバに別々に設けられてもよい。
（１）ステップＳ１０１：ユーザの出力機器１２０内のデータ処理手段１５０により、鍵生成サーバ２０１内の復号処理情報生成手段２１０に対して、復号処理パラメータ（図１３を参照）を送信する。
（２）ステップＳ１０２：復号処理情報生成手段２１０では、ユーザの出力機器１２０から「復号処理パラメータ」を受信する。
（３）ステップＳ１０３：復号処理情報生成手段２１０から課金制御手段３１０に、「復号処理情報の生成」の許可／不許可の問い合わせを行う。
（４）ステップＳ１０４：課金制御手段３１０は、「復号処理情報の生成」の許可／不許可の判断を行う。
（５）ステップＳ１０５：課金制御手段３１０により、「復号処理情報の生成」が許可された場合は、復号処理情報生成手段２１０は、「復号処理情報」を生成し、出力機器１２０に送信する。
（６）ステップＳ１０６：復号処理情報生成手段２１０は、課金制御手段３１０に対して、「復号処理情報」を生成したことを通知する。
（７）ステップＳ１０７：課金制御手段３１０では、復号処理情報生成手段２１０から受信した「復号処理情報」を基に、課金情報を記録する。
（８）ステップＳ１０８：出力機器１２０内のデータ処理手段１５０では、「復号処理情報」を受信し、記憶する。
【００４６】
（９）ステップＳ１０９：出力機器１２０内のデータ処理手段１５０では、復号処理を行う際に、再生期限の制限がある場合には、時刻サーバ４０１内の時刻取得手段４１０に対して、「時刻情報」の送信を要求する。
（１０）ステップＳ１１０：時刻サーバ４０１内の時刻取得手段４１０は、「時刻情報」を生成し、ユーザの出力機器１２０に送信する。
（１１）ステップＳ１１１：ユーザの出力機器１２０は、時刻取得手段４１０から「時刻情報」を受信する。
（１２）ステップＳ１１２：ユーザの出力機器１２０内のデータ処理手段１５０では、時刻取得手段４１０から取得した「時刻情報」を基に、符号化されたコンテンツの復号が許可されるかどうかを判断する。
（１３）ステップＳ１１３：ユーザの出力機器１２０では、復号が許可される場合は、符号化されたコンテンツの復号を開始する。
（１４）ステップＳ１１４：ユーザの出力機器１２０内のデータ処理手段１５０では、復号されたコンテンツを出力装置１２２に出力し、印刷などを完了した場合には、記憶した「復号処理情報」を消去する。
【００４７】
また、図５は、復号処理の第２の処理例を示す図であり、ユーザの出力機器１２０内のデータ処理手段１５０と、鍵生成サーバ２０１内の復号処理情報生成手段２１０と、課金サーバ３０１内の課金制御手段３１０と、時刻サーバ４０１内の時刻取得手段４１０との相互作用を説明するための図である。また、図５に示す処理例は、復号処理情報パラメータに再生期限の制限が存在し、課金サーバ３０１内の課金制御手段３１０が、時刻サーバ４０１内の時刻取得手段４１０から「時刻情報」を取得する場合の例である。また、課金制御手段３１０への問い合わせを復号処理情報生成手段２１０が行う場合の例である。なお、課金制御手段３１０と、時刻取得手段４１０は同一のサーバ内にあってもよく、また、それぞれが複数のサーバに別々に設けられてもよい。
（１）ステップＳ２０１：ユーザの出力機器１２０内のデータ処理手段１５０により、鍵生成サーバ２０１内の復号処理情報生成手段２１０に「復号処理パラメータ」を送信する。
（２）ステップＳ２０２：鍵生成サーバ２０１内の復号処理情報生成手段２１０は、ユーザの出力機器１２０内のデータ処理手段１５０から「復号処理パラメータ」を受信する。
（３）ステップＳ２０３：鍵生成サーバ２０１内の復号処理情報生成手段２１０は、課金サーバ３０１内の課金制御手段３１０に対し、「復号処理情報の生成」を許可してよいかどうかを問い合わせる。
（４）ステップＳ２０４：課金サーバ３０１内の課金制御手段３１０では、復号処理パラメータに再生期限制限がある場合は、時刻サーバ４０１内の時刻取得手段４１０に「時刻情報」の送信を要求する。
（５）ステップＳ２０５：時刻サーバ４０１内の時刻取得手段４１０は、「時刻情報」を、課金サーバ３０１内の課金制御手段３１０に送信する。
（６）ステップＳ２０６：課金サーバ３０１内の課金制御手段３１０では、時刻サーバ４０１内の時刻取得手段４１０から「時刻情報」を受信する。
（７）ステップＳ２０７：課金サーバ３０１内の課金制御手段３１０では、「時刻情報」を基に、再生期限を過ぎていないかどうかを確認し、復号処理の許可／不許可の判断を行う。
（８）ステップＳ２０８：鍵生成サーバ２０１内の復号処理情報生成手段２１０は、復号処理が許可される場合は、「復号処理情報」を生成し、ユーザの出力機器１２０に送信する。
（９）ステップＳ２０９：鍵生成サーバ２０１内の復号処理情報生成手段２１０は、課金サーバ３０１内の課金制御手段３１０に対し、「復号処理情報」を生成したことを通知する。
（１０）ステップＳ２１０：課金サーバ３０１内の課金制御手段３１０では、「課金情報」を記録する。
（１１）ステップＳ２１１：ユーザの出力機器１２０内のデータ処理手段１５０では、鍵生成サーバ２０１内の復号処理情報生成手段２１０から、「復号処理情報」を受信し、記憶する。
（１２）ステップＳ２１２：ユーザの出力機器１２０では、復号処理を開始する。
（１３）ステップＳ２１３：ユーザの出力機器１２０内のデータ処理手段１５０では、復号されたコンテンツを出力装置１２２に出力し、印刷などを完了した場合には、記憶した「復号処理情報」を消去する。
【００４８】
また、図６は、図５に示す復号処理の流れをフローチャートで示した例であり、復号処理情報パラメータに再生期間の制限が存在する場合の処理例を示したものである。
（１）ステップＳ３０１：ユーザの出力機器１２０では、鍵生成サーバ２０１内の復号処理情報生成手段２１０に対し、復号処理パラメータを添えて復号処理を起動する。
（２）ステップＳ３０２：鍵生成サーバ２０１内の復号処理情報生成手段２１０では、課金サーバ３０１内の課金制御手段３１０に対し、「復号の許可／不許可」を問い合わせる。
（３）ステップＳ３０３：課金サーバ３０１内の課金制御手段３１０への問い合わせが成功した場合は、ステップＳ３０４へ進み、課金制御手段３１０への問い合わせが不成功の場合は、復号処理を終了する。
（４）ステップＳ３０４：課金サーバ３０１内の課金制御手段３１０は、時刻サーバ４０１内の時刻取得手段４１０に対し、「時刻情報」を問い合わせる。
（５）ステップＳ３０５：時刻サーバ４０１内の時刻取得手段４１０への問い合わせが成功した場合は、ステップＳ３０６へ進み、時刻取得手段４１０への問い合わせが不成功の場合は、復号処理を終了する。
（６）ステップＳ３０６：課金サーバ３０１内の課金制御手段３１０では、復号の許許可／不許可を判断する。また、復号処理の許可／不許可の情報を、鍵生成サーバ２０１内の復号処理情報生成手段２１０に通知する。
（７）ステップＳ３０７：鍵生成サーバ２０１内の復号処理情報生成手段２１０では、課金サーバ３０１内の課金制御手段３１０から、復号許可の通知を受信すると、「復号処理情報」を生成し、ユーザの出力機器１２０に送信する。
（８）ステップＳ３０８：ユーザの出力機器１２０では、鍵生成サーバ２０１内の復号処理情報生成手段２１０から「復号処理情報」を受信し、符号化されたコンテンツの復号処理を開始する。
【００４９】
また、図７はプリビュー、および解像度制限を説明するための図であり、ある花の絵を説明のために二値化したものである。
【００５０】
図８は説明のための１例として、ＪＰＥＧ２０００の処理を概説するための図である。ＪＰＥＧ２０００においては、水平方向、垂直方向のそれぞれにおいて、画像の空間周波数を高周波側、低周波側に２分する。この低周波側を更に分割することにより、再帰的に画像の周波数成分を分解して行く。その結果、図８の最も左上に低周波成分の画像、あるいは縮小画像が得られ、右下の方へ向かうにつれて、その画像の高周波成分が示される。
【００５１】
図９は、周波数領域によるデータの例を示す図である。図９（ａ）は、例として、３段階に分解された内の最も低周波側のデータを示したものである。図９（ｂ）はそれに続く中間周波数領域を、図９（ｃ）は最も高周波領域のデータを示したものである。
【００５２】
また、図１０は、花の絵ではないが、この周波数成分の画像に与える影響を模式的に示した図である。図１０は、例えば、最も低周波側のデータのみを用いて復号した画像である。このように、空間解像度の低い画像が得られる。あるいは、空間解像度を上げるとすると、小さな画像となる。
【００５３】
また、図１１は周波数データの全てを用いて復号した画像の例を示す図である。このように、図１０に比較して、より精細な画像が復号される。このような性質を用い、図１０のような画像はプリビュー画像として無償で提供し、図１１のような、より精細な画像を要求するユーザには課金を行うことを想定している。
【００５４】
また、図１２は、異なる周波数成分により画像の精細度を変化させる方法を説明するための図である。例えば、図９（ａ）、（ｂ）、（ｃ）に示したような、各周波数成分毎のデータが、同一の符号化方式で符号化されているとする。つまり、プリビューで許容されている図９（ａ）に示す画像と、それ以外のデータが同じ符号化方式で符号化されているとすると、悪意のあるユーザにより、プリビュー用の復号処理手段より、図９（ｂ）、（ｃ）を復号する処理情報を作成される可能性性がある。本発明においては、ユーザへは符号化された全てのデータが配布されていると想定しているため、このような処理情報が作成されれば、「復号処理情報」がコンテンツ保護の鍵としての機能を失ってしまう。
【００５５】
このようなことを防ぐために、本発明においては、例えば、図１２に示すように、周波数成分毎に異なる符号化方式で符号化することができる。すなわち、低解像度データにはデータ符号化処理ａを施し、符号化データ０を生成する。高解像度差分データ１には、データ符号化処理ｂを施し、符号化データ１を生成する。高解像度差分データ２には、データ符号化処理ｃを施し、符号化データ２を生成する。高解像度差分データＮには、データ符号化処理ｄを施し、符号化データＮを生成する。そして、これらのデータ符号化処理の際には、それぞれ異なる符号化方式で符号化する。この符号化処理には、異なる符号化アルゴリズム、異なる符号化パラメータを使用するなどの方法が使用できる。これにより、プリビュー画像（低解像度データ）の「復号処理情報」の中には、高周波側のデータ（高解像度の符号化データ）の復号処理に係る情報が含まれないために、コンテンツをより有効に保護することができる。
【００５６】
また、図１３は、種々の再生制限に係る情報（復号処理パラメータ）と、その符号化について説明するための図である。最初に、いくつかの制限について説明する。
・条件Ａは、ユーザＩＤが「１２３４」であるユーザが、コンテンツの１を、無制限使用が可能な条件において買い取った場合を想定している。この時、再生回数制限や再生期限制限は、パラメータ中に「なし」と記載される。
・条件Ｂは、例えば雑誌などに広告として、コンテンツの２から８までを、再生回数制限あり、再生期限制限あり、再生量の制限もありとして、例えば、無料で配布するような場合のパラメータの例である。
・条件Ｃは、例えば、あるコンテンツを配布するサイトの、会費制会員を実現するような例である。この時、再生できるコンテンツは無制限であるが、ユーザは制限され、かつ再生期限も制限される。また、この例では、会員の信用度により、課金の後払いも許可と言うパラメータ例となっている。
これらの条件は、パラメータ符号化処理により符号化され、符号化する際のパラメータ（復号処理パラメータ）として、復号処理情報に組み込まれる。
【００５７】
また、図１４は、復号処理１６０に必要な機能及び要素をまとめて示した図である。本発明によるコンテンツ保護の鍵となる「復号処理１６０」には、図１４に示す要素を含むことができる。
（１）課金制御手段通信機能１６１
課金制御手段通信機能１６１は、課金サーバ３０１内の課金制御手段３１０との通信機能である。悪意あるユーザに改変されないように、この通信機能は複数用意され、あるいは、通信相手となる課金制御手段３１０ごとに異なってもよい。
（２）時刻取得手段通信機能１６２
時刻取得手段通信機能１６２は、時刻サーバ４０１内の時刻取得手段４１０との通信機能である。悪意あるユーザに改変されないように、この通信機能は複数用意され、あるいは、通信相手となる時刻取得手段４１０ごとに異なっても良い。
（３）符号化パラメータ１６３
符号化パラメータ１６３は、図１３に例示したパラメータである。
（４）コンテンツ情報取得手段１６４
コンテンツ情報取得手段１６４は、符号化パラメータ１６３に記載されたデータと、実際に復号しようとしているコンテンツとの一致をみるためのものである。例えば、コンテンツの一部としての識別子の読み出し手段であるとか、あるいは、コンテンツのチェックサムを計算する計算手段などであってもよい。
【００５８】
（５）ハードウェア情報取得手段１６５
ハードウェア情報取得手段１６５は、符号化パラメータ１６３に記載されたデータと、実際に復号しようとしているハードウェアとの一致をみるためのものである。例えば、ネットワークハードウェアのＭＡＣアドレスの読み出し手段であるとか、あるいは、ハードウェア全体の構成を数値化する識別子計算手段などであってもよい。
（６）ユーザ情報取得手段１６６
ユーザ情報取得手段１６６は、符号化パラメータ１６３に記載されたデータと、ユーザとの一致をみるためのものである。例えば、ユーザに対してパスワードを求めるとか、あるいは、生体特徴（生体情報）を用いた個人認証手段であってもよい。
（７）データ復号化処理１６７
これは、符号化されたコンテンツを復号する処理であり、必要なもののみが含まれれば良い。例えば、プリビューのみを許可するような場合は、それ用の復号処理のみが含まれる。
【００５９】
図１５は、静止画を例としたプリビューの例を示す図である。例えば、図１５（ａ）のように、解像度の低いデータに、それがプリビューであることを示す情報「Ｐｒｅｖｉｅｗ」を付加して表示する。あるいは、図１５（ｂ）のように、課金対象となる高解像度のデータに、内容を劣化させる情報を重畳して表示することなどが考えられる。
【００６０】
また、図１６は、ユーザの出力機器１２０がサーバと通信ができないような状況で、かつ、課金後処理が許可されている場合の表示例を示す図である。なお、画面表示はユーザＰＣ１００で行ってもよいし、出力機器１２０で行ってもよい。
【００６１】
また、図１７から図２１は、復号しようとしている状況が、何らかの制限を越えているような場合の表示例である。
・図１７に示す画面は、コンテンツの使用期限（再生許可の期限）を過ぎた場合に表示される画面例を示す図である。追加課金されることを了承すると、コンテンツを再度再生できるようになる。
・図１８に示す画面は、コンテンツを許可されていない装置により再生しようとした場合に表示される画面例を示す図である。追加課金されることを了承すると、コンテンツを再生できるようになる。
・図１９に示す画面は、高解像度でのコンテンツの再生が許可されなかった場合の画面例を示す図である。追加課金されることを了承すると、コンテンツを高精度で再生できるようになる。
・図２０に示す画面は、コンテンツの使用回数制限を超過した場合に表示される画面例を示す図である。追加課金されることを了承すると、コンテンツを再生できるようになる。
・図２１に示す画面は、復号制限としてユーザが限定されている場合に、ユーザにパスワードの入力を求める画面例を示す図である。
【００６２】
また、図２２は、ユーザの出力機器１２０が、サーバ群２００と通信ネットワーク１を介して接続されることを示す模式図である。鍵生成サーバ２０１ａから鍵生成サーバ２０１ｎには、それぞれ復号処理情報生成手段１（２１０ａ）から復号処理情報生成手段Ｎ（２１０ｎ）が設けられる。課金サーバ３０１ａから課金サーバ３０１ｎには、それぞれ課金制御手段１（３１０ａ）から課金制御手段Ｎ（３１０ｎ）が設けられる。時刻サーバ４０１ａから時刻サーバ４０１ｎには、それぞれ時刻取得手段１（４１０ａ）から時刻取得手段Ｎ（４１０ｎ）が設けられる。すなわち、復号処理情報生成手段、課金制御手段、時刻取得手段のそれぞれの手段が複数の場所（サーバ）に存在し得ることが本発明のコンテンツ流通システムの特徴であることを示している。
【００６３】
また、図２３は、本発明のコンテンツ流通システムにおけるユーザの出力機器１２０の構成例を示すブロック図であり、本発明に直接関係するものを示したものである。図２３において、ユーザの出力機器１２０には、ユーザの出力機器１２０と通信ネットワーク１とを接続する通信用インタフェース１７１、ユーザの出力機器１２０の全体を統括制御する制御部１７２、ユーザＰＣとの通信インタフェースとなるＰＣ用インタフェース１７３、記憶部１７４、処理プログラム部１８０が設けられる。
【００６４】
また、処理プログラム部１８０には、以下の処理部が含まれる。
・符号化データ取得処理部１８１
取り扱いたい種々の電子情報、例えば動画データ、静止画データ、音楽データ、文字データ（符号化されたコンテンツ）などを、ユーザＰＣ１１０を経由して取得するための処理部である。なお、符号化データ（符号化されたコンテンツのデータ）は、記憶部１７４に記録される。
・復号処理情報要求処理部１８２
上述した符号化されたコンテンツに対応する「復号処理情報の生成要求」を、鍵生成サーバ２０１内の復号処理情報生成手段２１０へ送信するための処理部である。なお、「復号処理情報の生成要求」には、「復号処理生成条件」の指定情報なども付加される。
【００６５】
・復号処理情報受信処理部１８３
復号処理情報生成手段２１０が生成した「復号処理情報」を受信するための処理部である。復号処理情報生成手段２１０が復号処理情報の生成を拒否した場合、その旨がユーザの出力機器１２０へ通知される。
・復号処理情報記憶処理部１８４
復号処理情報生成手段２１０により生成された１つ以上の「復号処理情報」を記憶するための処理部である。「復号処理情報」は復号処理そのものを実行する情報（例えば、デコーダプログラムなど）であり、記憶部１７４に記憶される。
【００６６】
・出力処理部１８５
復号処理により復号されたデータを出力するための処理部である。
・出力終了検出処理部１８６
復号されたデータの、出力装置１２２の出力完了（出力終了）を検出するための処理部である。
・復号処理情報消去処理部１８７
出力完了検出により、「復号処理情報」を消去するための処理部である。
・課金情報要求処理部１８８
符号化されたコンテンツの復号処理を実行する際に、課金サーバ３０１内の課金制御手段３１０に対し、「課金情報」の送信を要求するための処理部である。
・課金情報受信処理１８９
符号化されたコンテンツの復号処理を実行する際に、課金サーバ３０１内の課金制御手段３１０から、「課金情報」を受信するための処理部である。
・時刻情報要求処理部１９０
符号化されたコンテンツの復号処理を実行する際に、時刻サーバ４０１内の時刻取得手段４１０に対し、「時刻情報」の送信を要求するための処理部である。
・時刻情報受信処理部１９１
符号化されたコンテンツの復号処理を実行する際に、時刻サーバ４０１内の時刻取得手段４１０から、「時刻情報」を受信するための処理部である。
【００６７】
なお、ユーザの出力機器１２０の処理プログラム部１８０は専用のハードウェアにより実現されるものであってもよく、またこの処理プログラム部はメモリおよびＣＰＵ（中央処理装置）等の汎用の情報処理装置により構成され、この処理部の機能を実現するためのプログラム（図示せず）をメモリにロードして実行することによりその機能を実現させるものであってもよい。
【００６８】
また、図２４は、本発明のコンテンツ流通システムにおけるサーバの構成例を示すブロック図であり、本発明に直接関係するものを示したものである。なお、図２４に示す構成例では、図２２に示す復号処理情報生成手段２１０ａ、課金制御手段３１０ａ、時刻取得手段４１０ａを一つのサーバ内に設けた例を示しているが、勿論、複数のサーバに分散して設備してもよい。図２４において、サーバ５００には、サーバ５００と通信ネットワーク１とを接続する通信用インタフェース５０１、サーバ５００の全体を統括制御する制御部５０２、処理プログラム部５１０が設けられる。また、処理プログラム部５１０は、復号処理情報生成処理部５２０と、課金制御処理部５３０と、時刻取得処理部５４０で構成される。
そして、復号処理情報生成処理部５２０には下の処理部が含まれる。
・復号処理情報要求受信処理部５２１は、ユーザの出力機器１２０から、「復号処理情報」の送信要求を受信するための処理部である。
・復号処理情報生成処理部５２２は、符号化されたコンテンツを復号処理するための「復号処理情報」を生成するための処理部である。
・復号処理情報送信処理部５２３は、ユーザの出力機器１２０に「復号処理情報」を送信するための処理部である。
【００６９】
また、課金制御処理部５３０には下の処理部が含まれる。
・復号の許可／不許可判断処理部５３１は、課金情報ＤＢ５７０内の課金情報を参照し、該当ユーザの課金情報を基に、「復号処理情報」を生成することについての許可／不許可の判断を行うための処理部である。
・許可条件の送信処理部５３２は、復号の許可条件をユーザの出力機器１２０、または復号処理情報生成処理部５２０に送信するための処理部である。
・復号履歴更新処理部５３３は、復号履歴の情報を課金情報ＤＢ５７０に記録するための処理部である。
【００７０】
また、時刻取得処理部５４０には、以下の処理部が含まれる。
・時刻情報要求受信処理部５４１は、ユーザの出力機器１２０、復号処理情報生成処理部５２０、または課金制御処理部５３０から「時刻情報要求」を受信するための処理部である。
・時刻情報生成処理部５４２は、時刻情報を生成するための処理部である。
・時刻情報送信処理部５４３は、ユーザの出力機器１２０、復号処理情報生成処理部５２０、または、課金制御処理部５３０に、「時刻情報」を送信するための処理部である。
【００７１】
なお、ユーザ情報データベース（ＤＢ）５５０には、このコンテンツ流通システムに登録した会員の個人情報と、会員識別ＩＤ、パスワードの情報などが記録される。また、復号処理情報ＤＢ５６０には、生成した復号処理情報が記録される。また、課金情報ＤＢ５７０には、ユーザの課金情報、課金情報に応じて決定されるコンテンツの再生制限情報、復号処理の履歴情報（復号履歴）の情報が記録される。
【００７２】
なお、サーバ５００の処理プログラム部５１０は専用のハードウェアにより実現されるものであってもよく、またこの処理プログラム部はメモリおよびＣＰＵ（中央処理装置）等の汎用の情報処理装置により構成され、この処理部の機能を実現するためのプログラム（図示せず）をメモリにロードして実行することによりその機能を実現させるものであってもよい。なお、このサーバ５００には、周辺機器として入力装置、表示装置等（いずれも図示せず）が接続され又は内蔵されているものとする。ここで、入力装置としては、キーボード、マウス等の入力デバイスのことをいう。表示装置とは、ＣＲＴ（Ｃａｔｈｏｄｅ  Ｒａｙ  Ｔｕｂｅ）や液晶表示装置等のことをいう。
【００７３】
また、図２３に示すユーザの出力機器１２０内の処理プログラム部１８０、および図２４に示すサーバ５００内の処理プログラム部５１０の機能を実現するためのプログラムをコンピュータ読み取り可能な記録媒体に記録して、この記録媒体に記録されたプログラムをコンピュータシステムに読み込ませ、実行することにより、図２３に示すユーザの出力機器１２０内の処理プログラム部１８０、および図２４に示すサーバ５００内の処理プログラム部５１０に必要な処理を行ってもよい。なお、ここでいう「コンピュータシステム」とは、ＯＳや周辺機器等のハードウェアを含むものとする。
【００７４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムを送信する場合の通信線のように、短時間の間、動的にプログラムを保持するもの（伝送媒体ないしは伝送波）、その場合のサーバやクライアントとなるコンピュータシステム内部の揮発性メモリのように、一定時間プログラムを保持しているものも含むものとする。
また上記プログラムは、前述した機能の一部を実現するためのものであってもよく、さらに前述した機能をコンピュータシステムにすでに記録されているプログラムとの組み合わせで実現できるもの、いわゆる差分ファイル（差分プログラム）であってもよい。
【００７５】
以上、本発明の実施の形態について説明したが、本発明のユーザの出力機器、サーバ、コンテンツ流通システムは、上述の図示例にのみ限定されるものではなく、本発明の要旨を逸脱しない範囲内において種々変更を加え得ることは勿論である。
【図面の簡単な説明】
【図１】本発明のコンテンツ流通システムの概要を説明するための図。
【図２】復号モジュールを使用する例を示す図。
【図３】ユーザの出力機器が有する手段の構成例を示す図。
【図４】復号処理の第１の処理例を示す図。
【図５】復号処理の第２の処理例を示す図。
【図６】図５に示す復号処理の流れを示すフローチャート。
【図７】プリビュー及び解像度制限を説明するための図。
【図８】ＪＰＥＧ２０００の処理を概説するための図。
【図９】周波数領域によるデータの例を示す図。
【図１０】周波数成分の画像に与える影響を模式的に示した図。
【図１１】周波数データの全てを用いて復号した画像の例を示す図。
【図１２】異なる周波数成分により精細度を変化させる方法の説明図。
【図１３】再生制限に係る情報と符号化について説明するため図。
【図１４】復号処理に必要な機能及び要素をまとめて示した図。
【図１５】静止画を例としたプリビューの例を示す図。
【図１６】課金後処理が許可されている場合の表示例を示す図。
【図１７】使用期限を過ぎた場合に表示される画面例を示す図。
【図１８】許可されない装置により再生する場合の画面例を示す図。
【図１９】高解像度での再生が許可されない場合の画面例を示す図。
【図２０】使用回数制限を超過した場合に表示される画面例を示す図。
【図２１】ユーザにパスワードを求める画面例を示す図。
【図２２】ユーザの出力機器とサーバ群が接続されることを示す模式図。
【図２３】ユーザの出力機器の構成例を示すブロック図。
【図２４】サーバの構成例を示すブロック図。
【図２５】特許文献１の図１を示す図。
【図２６】特許文献２の図２を示す図。
【図２７】特許文献２の図１１を示す図。
【符号の説明】
１００  ユーザ機器、１１１  コンテンツ
１２０  出力機器、１３１  符号化データ取得手段
１３２  復号処理情報要求手段、１３３  復号処理情報受信手段
１３４  復号処理情報記憶手段、１３４ａ  復号処理、１３５  出力手段
１３６  出力終了検出手段、１３７  復号処理情報消去手段
１３８  課金情報要求手段、１３９  課金情報受信手段
１４０  時刻情報要求手段、１４１  時刻情報受信手段
１５０  データ処理手段
２０１  鍵生成サーバ、２１０  復号処理情報生成手段
３０１  課金サーバ、３１０  課金制御手段
４０１  時刻サーバ、４１０  時刻取得手段
【図１】
2004252848.tif 000003
【図２】
2004252848.tif 000004
【図３】
2004252848.tif 000005
【図４】
2004252848.tif 000006
【図５】
2004252848.tif 000007
【図６】
2004252848.tif 000008
【図７】
2004252848.tif 000009
【図８】
2004252848.tif 000010
【図９】
2004252848.tif 000011
【図１０】
2004252848.tif 000012
【図１１】
2004252848.tif 000013
【図１２】
2004252848.tif 000014
【図１３】
2004252848.tif 000015
【図１４】
2004252848.tif 000016
【図１５】
2004252848.tif 000017
【図１６】
2004252848.tif 000018
【図１７】
2004252848.tif 000019
【図１８】
2004252848.tif 000020
【図１９】
2004252848.tif 000021
【図２０】
2004252848.tif 000022
【図２１】
2004252848.tif 000023
【図２２】
2004252848.tif 000024
【図２３】
2004252848.tif 000025
【図２４】
2004252848.tif 000026
【図２５】
2004252848.tif 000027
【図２６】
2004252848.tif 000028
【図２７】
2004252848.tif 000029